(57)【特許請求の範囲】
【請求項１】
少なくとも一部が非導電性部材で形成された筒状の外装ケースと、
前記外装ケースの内側で時刻を表示する時刻表示部と、
前記外装ケースに収納され、環状の一部を切り欠いた形状のアンテナ体と、
前記アンテナ体の切欠部分を挟み、前記アンテナ体に給電する一対の給電電極と、
前記一対の給電電極と接続されるバランとを備え、
前記アンテナ体は、前記時刻表示部の外縁に沿って配置され、
前記一対の給電電極が、前記時刻表示部の６時から１０時の範囲又は１２時から４時の範囲に配置されている、
ことを特徴とするアンテナ内蔵式電子時計。
【請求項２】
前記アンテナ体は、前記時刻表示部の周囲に配置されていることを特徴とする請求項１に記載のアンテナ内蔵式電子時計。
【請求項３】
前記アンテナ体は、位置情報衛星からの電波を受信することを特徴とする請求項１又は２に記載のアンテナ内蔵式電子時計。
【請求項４】
前記アンテナ体は、閉環状の誘電体を有し、前記アンテナ体が前記誘電体に接するように構成されていることを特徴とする請求項１乃至３のうちいずれか１項に記載のアンテナ内蔵式電子時計。
【請求項５】
前記アンテナ内蔵式電子時計は、前記外装ケースの二つの開口のうち、前記時刻表示部の表示方向と反対側の開口を塞ぐ金属製の裏蓋を備えることを特徴とする請求項１乃至４のうちいずれか１項に記載のアンテナ内蔵式電子時計。
【発明の詳細な説明】
【技術分野】
【０００１】
本発明は、アンテナを内蔵したアンテナ内蔵式電子時計に関する。
【背景技術】
【０００２】
特許文献１には、電子機器や電子時計に使用されるアンテナとして、時計ガラス下面に、その外周に沿ってループ状に形成されたものが開示されており、このようにループ状とすることで、アンテナの長さを十分に確保しつつ、信号の受信を確実に行うことができるとしている。特に、この特許文献１には、ループ状のアンテナの給電電極を文字板の頂部、すなわち１２時の位置に配置する点にも言及している。
【０００３】
また、特許文献２には、腕携帯型受信機に関し、受信機のケースをループアンテナとして機能させる構造が開示されている。この特許文献２に開示されたループアンテナは、腕と垂直又は水平方向にループする形状であり、具体的には、ケースの片側側面部又は両面部を利用して、装着時の腕に対して垂直又は水平方向に１回又は２回ループし、上下２枚の半円状アンテナを接続し、他端に給電口を形成した形状を有している。
【先行技術文献】
【特許文献】
【０００４】
【特許文献１】特開平９−３０７３２９号公報
【特許文献２】特開平９−２４７００６号公報
【発明の概要】
【発明が解決しようとする課題】
【０００５】
ところで、ＧＰＳ（Global Positioning System）における衛星信号は屋内では受信できないことから、腕時計を腕に装着して屋外にいる間に受信を行うこととなる。その際、装着者は、腕時計をした腕を下げているか或いは手を身体の前に位置させた姿勢でいることが多い。このような姿勢では、時計表面の法線方向が水平方向に向けられていることとなり、上述した特許文献に開示されたループアンテナでは、アンテナ利得の大きい方向が天頂方向と一致せず、受信性能が十分に発揮されない惧れがある。
【０００６】
本発明は、上述した事情に鑑みてなされたものであり、ＧＰＳ（Global Positioning System）における衛星信号の受信に際し、屋外で装着者が多くとる姿勢などの人間工学に基づいて実用上最適なアンテナ指向性を得ることにより、アンテナの小型化を図りつつ、受信性能を十分に高く維持することができるアンテナ内蔵式電子時計を提供することを解決課題としている。
【課題を解決するための手段】
【０００７】
以上の課題を解決するため、本発明に係るアンテナ内蔵式電子時計は、少なくとも一部が非導電性部材で形成された筒状の外装ケースと、前記外装ケースの内側で時刻を表示する時刻表示部と、前記外装ケースに収納され環状の一部を切り欠いた形状のアンテナ体と、前記アンテナ体の切欠部分を挟み、前記アンテナ体に給電する一対の給電電極と、前記一対の給電電極と接続されるバランとを備え、前記アンテナ体は、前記時刻表示部の外縁に沿って配置され、前記一対の給電電極が、前記時刻表示部の６時から１０時の範囲又は１２時から４時の範囲に配置されていることを特徴とする。
【０００８】
このアンテナ内蔵式電子時計では、アンテナ体がループアンテナとして機能する。詳述するとアンテナ体は、円環状の一部を切り欠いたいわゆるＣ型形状のループアンテナとなり、ループアンテナの始点及び終点となる一対の給電電極がＣ型形状の切欠部分を挟んで位置することとなる。このため、ループアンテナの始点から終点までの周囲長を約１波長とすることにより、半波長ダイポールアンテナ２本を、給電電極を挟んで平行においた場合と同等の受信性能を維持することができる。
【０００９】
特に、このようなループアンテナでは、その放射指向性が、環状の中心から見て給電電極のある方向が最大放射方向となることから、給電電極を６時から１０時の範囲又は１２時から４時の範囲に配置することにより、装着者が腕時計をした腕を下げているか或いは手を身体の前に位置させた姿勢のときに、アンテナ利得の大きい方向が天頂方向と一致することとなり、受信性能が十分に発揮される。
【００１０】
以上より、本発明によれば、例えば、ＧＰＳにおける衛星信号の受信に用いた場合には、屋外で装着者が多くとる姿勢などの人間工学に基づいて実用上最適なアンテナ指向性を得ることができ、アンテナの小型化を図りつつ、受信性能を十分に高く維持することができるアンテナ内蔵式電子時計を提供することができる。このとき、給電電極の配置範囲を６時から１０時の範囲又は１２時から４時の範囲とある程度の幅を持たせているのは、例えば、竜頭や操作ボタンなどの部品が外装ケースの外周面に配置されている場合にも、これらの部品と給電電極とが干渉するのを回避するためである。
【００１１】
なお、「非導電性部材」としては、金属以外の素材、例えばセラミックやプラスチックを用いることができる。また、「時刻表示部」としては時計の文字板が含まれ、この文字板上における時刻表示として、指針による表示や、液晶等のデジタル表示が含まれる。この指針としては、時針や分針、秒針が挙げられる。
【００１２】
さらに、「外縁に沿って」とは、時刻表示部の面内に配置する場合や、周囲に配置する場合が含まれる。また、「筒状」には、円筒に代表される回転体が含まれる。また、「環状」には、円形や略四角形が含まれ、一部が開いた開環状（例えばＣ型）や、全部が閉じた閉環状（例えばＯ型）が含まれる。
【００１３】
このアンテナ内蔵式電子時計において、前記アンテナ体は、環状の誘電体を有し、前記アンテナの金属部分が前記誘電体に接するように構成することができる。この場合には、誘電体の波長短縮効果と相俟ってアンテナ周囲長を短縮することができ、これによりアンテナ全体をより小型化できる。
【００１４】
なお、ここでの「誘電体に接するように構成する」には、リング形状の誘電体を基材として、これに金属のアンテナ電極パターンをメッキや銀ペースト印刷などにより形成したり、樹脂製の誘電体内にアンテナ体を埋め込むインサート成形により一体化したりすることが含まれる。
【００１５】
このアンテナ内蔵式電子時計は、前記外装ケースの二つの開口のうち、前記時刻表示部の表示方向と反対側の開口を塞ぐ金属製の裏蓋を備えることが好ましい。この場合には、金属製の裏蓋による反射により、時計表面における法線方向の放射が大きくなり、極めて高い受信性能が得られる。
【図面の簡単な説明】
【００１６】
【図１】本発明の第１実施形態に係るアンテナ内蔵式電子時計１００（電子時計１００）を含むＧＰＳシステムの全体図である。
【図２】電子時計１００の平面図である。
【図３】電子時計１００の一部断面図である。
【図４】電子時計１００の一部の分解斜視図である。
【図５】電子時計１００の回路構成を示すブロック図である。
【図６】電子時計１００における給電電極の位置を示す平面図である。
【図７】電子時計１００の装着状態と給電電極の位置との関係を示す説明図である。
【図８】電子時計１００のアンテナ体４０の放射パターンに関する座標係を示す斜視図である。
【図９】電子時計１００のアンテナ体４０のＸ−Ｙ平面における放射パターンを示す図である。
【図１０】電子時計１００のアンテナ体４０のＺ−Ｙ平面における放射パターンを示す図である。
【図１１】本発明の第２実施形態に係るアンテナ内蔵式電子時計２００（電子時計２００）の一部断面図である。
【発明を実施するための形態】
【００１７】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１８】
［第１実施形態］
図１は、本発明の第１実施形態に係るアンテナ内蔵式電子時計１００（以下「電子時計１００」という）を含むＧＰＳシステムの全体図である。電子時計１００は、ＧＰＳ衛星２０からの電波（無線信号）を受信して内部時刻を修正する腕時計であり、腕に接触する面（以下、「裏面」という）の反対側の面（以下「表面」という）に時刻を表示する。
【００１９】
ＧＰＳ衛星２０は、地球上空における所定の軌道上を周回する位置情報衛星であり、１．５７５４２ＧＨｚの電波（Ｌ１波）に航法メッセージを重畳させて地上に送信している。以降の説明では、航法メッセージが重畳された１．５７５４２ＧＨｚの電波を「衛星信号」という。衛星信号は、右旋偏波の円偏波である。
【００２０】
現在、約３１個のＧＰＳ衛星２０（図１においては、約３１個のうち４個のみを図示）が存在しており、衛星信号がどのＧＰＳ衛星２０から送信されたかを識別するために、各ＧＰＳ衛星２０はＣ／Ａコード（Coarse/Acquisition Code）と呼ばれる１０２３ｃｈｉｐ（１ｍｓ周期）の固有のパターンを衛星信号に重畳する。Ｃ／Ａコードは、各ｃｈｉｐが＋１又は−１のいずれかでありランダムパターンのように見える。したがって、衛星信号と各Ｃ／Ａコードのパターンの相関をとることにより、衛星信号に重畳されているＣ／Ａコードを検出することができる。
【００２１】
ＧＰＳ衛星２０は原子時計を搭載しており、衛星信号には原子時計で計時された極めて正確な時刻情報（以下、「ＧＰＳ時刻情報」という）が含まれている。また、地上のコントロールセグメントにより各ＧＰＳ衛星２０に搭載されている原子時計のわずかな時刻誤差が測定されており、衛星信号にはその時刻誤差を補正するための時刻補正パラメータも含まれている。電子時計１００は、１つのＧＰＳ衛星２０から送信された衛星信号を受信し、その中に含まれるＧＰＳ時刻情報と時刻補正パラメータを使用して内部時刻を正確な時刻に修正する。
【００２２】
衛星信号にはＧＰＳ衛星２０の軌道上の位置を示す軌道情報も含まれている。電子時計１００は、ＧＰＳ時刻情報と軌道情報を使用して測位計算を行うことができる。測位計算は、電子時計１００の内部時刻にはある程度の誤差が含まれていることを前提として行われる。すなわち、電子時計１００の３次元の位置を特定するためのｘ，ｙ，ｚパラメータに加えて時刻誤差も未知数になる。そのため、電子時計１００は、一般的には４つ以上のＧＰＳ衛星からそれぞれ送信された衛星信号を受信し、その中に含まれるＧＰＳ時刻情報と軌道情報を使用して測位計算を行う。
【００２３】
図２は、電子時計１００の平面図である。図２に示すように、電子時計１００は、セラミックやプラスチック等の非導電性部材で形成された円筒状の外装ケース８０を備え、外観上は、外装ケース８０の表面側周縁に、セラミックやプラスチック等の非導電性部材で形成された環状のベゼル８１が嵌合されている。このベゼル８１の内周側に、プラスチックで形成された環状のダイヤルリング８３を介して、円盤状の文字板１１が時刻表示部として配置され、この文字板１１上には、時刻や日付等を表示する指針１３（１３ａ〜ｃ）及び液晶表示パネル１４が配置されている。そして、外装ケース８０の表面側の開口は、ベゼル８１を介してカバーガラス８４で塞がれており、カバーガラス８４通じて、内部の文字板１１、指針１３（１３ａ〜ｃ）及び液晶表示パネル１４が視認可能となっている。なお、図２中において、液晶表示パネル１４に表示された"ＴＹＯ"の文字は、「東京」の意味であり、ワールドタイム機能の日本の時刻を表示している。
【００２４】
ダイヤルリング８３は、外周側が、ベゼル８１の内周面に接触する水平な環状部分となっているととともに、さらにその内周側が内方へ傾斜したすり鉢状部分となっており、この環状部分及びすり鉢状部分と、ベゼル８１の内周面とによりドーナツ状の収納空間８２が画成されている。この収納空間８２内には、環状の一部を切り欠いたいわゆるＣ型形状のアンテナ体４０が収納されている。
【００２５】
このアンテナ体４０は、環状の一部を切り欠いたループアンテナを、時刻表示部である文字板１１の外縁に沿って環状に配置して構成され、本実施形態では、文字板１１の周囲に配置されているとともに、このアンテナ体４０に対する２箇所の給電電極４０ａ及び４０ｂが、文字板１１上の６時から９時位置又は１２時から３時位置に配置されている。この給電電極４０ａ及び４０ｂは、アンテナ体４０の始点及び終点に位置し、アンテナ体４０に給電する電極である。
【００２６】
また、電子時計１００は、図１及び図２に示す竜頭１６や操作ボタン１７及び１８を手動操作することにより、少なくとも１つのＧＰＳ衛星２０からの衛星信号を受信して内部時刻情報の修正を行うモード（時刻情報取得モード）と複数のＧＰＳ衛星２０からの衛星信号を受信して測位計算を行い内部時刻情報の時差を修正するモード（位置情報取得モード）に設定できるように構成されている。また、電子時計１００は、時刻情報取得モードや位置情報取得モードを定期的に（自動的に）実行することもできる。
【００２７】
図３は電子時計１００の内部構造を示す一部断面図であり、図４は電子時計１００の一部の分解斜視図である。図３及び４に示すように、電子時計１００は、セラミックで形成された円筒状の外装ケース８０の表面側には、セラミックで形成された環状のベゼル８１が嵌合されているとともに、ベゼル８１の内周に沿って、プラスチックで形成された環状のダイヤルリング８３が取り付けられている。外装ケース８０の二つの開口のうち、表面側の開口は、環状のベゼル８１を介してカバーガラス８４で塞がれており、裏面側の開口は金属で形成された裏蓋８５で塞がれている。金属製の裏蓋８５と金属製の外装ケース８０とは、スクリュー溝で固定されている。
【００２８】
また電子時計１００は、外装ケース８０の内側に、リチウムイオン電池などの二次電池２７を備える。二次電池２７は、後述のソーラーパネル８７が発電した電力で充電される。すなわち、ソーラー充電が行われる。電子時計１００は、外装ケース８０の内側に、光透過性の文字板１１と、文字板１１を貫通した指針軸１２と、指針軸１２を中心に周回して現在時刻を指し示す複数の指針１３（秒針１３ａ、分針１３ｂ及び時針１３ｃ）と、指針軸１２を回転させて複数の指針１３を駆動する駆動機構３０とを備える。指針軸１２は、外装ケース８０の中心軸に沿って表裏方向に延在している。
【００２９】
文字板１１は、外装ケース８０の内側で時刻を表示する時刻表示部を構成する円形の板材であり、プラスチックなどの光透過性の材料で形成され、カバーガラス８４との間に指針１３（１３ａ〜ｃ）を挟み、ダイヤルリング８３の内側に配置されている。文字板１１の中央部には、指針軸１２が貫通する穴が形成されているとともに、液晶表示パネル１４を視認させるための開口部が形成されている。
【００３０】
駆動機構３０は、地板３８に取り付けられ、ステップモーターと歯車などの輪列とを有し、当該ステップモーターが当該輪列を介して指針１３を回転させることにより、複数の指針１３を駆動する。具体的には、時針１３ｃは１２時間、分針１３ｂは６０分、秒針１３ａは６０秒で一周する。また、駆動機構３０が取り付けられた地板３８は、指針１３との間に文字板１１を挟むように配置されている。
【００３１】
また電子時計１００は、外装ケース８０の内側に、光発電を行うソーラーパネル８７を備える。ソーラーパネル８７は、光エネルギーを電気エネルギー（電力）に変換する複数のソーラーセル（光発電素子）を直列接続した円形の平板であり、文字板１１と駆動機構３０との間に配置され、指針軸１２の横断面に沿って延在している。またソーラーパネル８７は、その延在方向において、ダイヤルリング８３の内側に配置されている。またソーラーパネル８７の中央部には、指針軸１２が貫通する穴が形成されているとともに、液晶表示パネル１４を視認させるための開口部が形成されている。
【００３２】
また電子時計１００は、外装ケース８０の内側に、アンテナ接続ピン４４Ａ及び４４Ｂと、回路基板２５と、回路基板２５に実装されたバラン１０、ＧＰＳ受信部（無線受信部）２６及び制御部７０とを備える。バラン１０は、平衡−不平衡の変換素子であり、平衡給電で作動するアンテナ体４０からの平衡信号を、ＧＰＳ受信部２６で扱うことができる不平衡信号に変換する。
【００３３】
そして、電子時計１００は、環状の一部を切り欠いた形状のアンテナ体４０を備える。このアンテナ体４０は、リング形状の誘電体４０ｄを基材として、これに金属のアンテナパターン４０ｃをメッキや銀ペースト印刷などにより形成したものである。このアンテナ体４０は、本実施形態では、文字板１１の周囲に配置されており、ベゼル８１の内周面側に収容され、その上方をダイヤルリング８３及びカバーガラス８４で覆われている。この誘電体としては、酸化チタンなどの高周波で使える誘電材料を樹脂に混ぜて成形することができ、これにより誘電体の波長短縮と相俟ってアンテナをより小型化できる。
例えば、ＧＰＳ受信の場合１．５７５ＧＨｚなので一波長は１９ｃｍとなり、通常のアンテナを腕時計のベゼル部分に埋め込むにはそのままでは収まらず、波長短縮が必要となる。本実施形態では、誘電体による波長短縮が√εｒとなることから、本実施形態では、誘電体４０ｄとしては、εｒ＝５〜１０程度を用いている。これにより、ＧＰＳ受信用のアンテナであっても、腕時計に１波長ループアンテナを収めることができ、アンテナの小型化を図ることができる。
【００３４】
また、アンテナ体４０は、アンテナ体４０の両端、すなわちＣ形状の切欠部分に位置する二つの給電電極４０ａ及び４０ｂを通じて給電され、この給電電極４０ａ及び４０ｂでは、アンテナ下面に配置されたアンテナ接続ピン４４Ａ及び４４Ｂと接続されている。アンテナ接続ピン４４Ａ及び４４Ｂはスプリングを内蔵した金属で形成されたピン状のコネクタであり、回路基板２５上に突設されて、地板３８に開口された挿通孔３８ａ及び３８ｂを貫通されて収納空間８２内へ挿通され、回路基板２５と、収納空間８２内部のアンテナ体４０とを接続する。
【００３５】
本実施形態において、アンテナ体４０への給電は、バラン１０から２箇所の給電電極４０ａ及び４０ｂを通じての平衡給電となる。具体的には、アンテナ体４０の両端に、プラス及びマイナスの給電電極４０ａ及び４０ｂを有し、これら二つの給電電極４０ａ及び４０ｂがアンテナ接続ピン４４Ａ及び４４Ｂと接続されている。これらアンテナ接続ピン４４Ａ及び４４Ｂを介して平衡給電が行われ、ＧＰＳ受信部２６は、アンテナ体４０を用いて無線信号を受信する。なお、アンテナ体４０は、１波長ループアンテナであることから、給電に対して自己平衡作用があり、上記バラン１０を介さず、直接給電することも可能である。
【００３６】
図５は、電子時計１００の回路構成を示すブロック図である。図５に示すように、電子時計１００は、ＧＰＳ受信部２６及び制御表示部３６を含んで構成されている。ＧＰＳ受信部２６は、衛星信号の受信、ＧＰＳ衛星２０の捕捉、位置情報の生成、時刻修正情報の生成等の処理を行う。制御表示部３６は、内部時刻情報の保持及び内部時刻情報の修正等の処理を行う。
【００３７】
ソーラーパネル８７は、充電制御回路２９を通じて二次電池２７を充電する。電子時計１００はレギュレータ３４及び３５を備え、二次電池２７は、レギュレータ３４を介して制御表示部３６に、レギュレータ３５を介してＧＰＳ受信部２６に駆動電力を供給する。また電子時計１００は、二次電池２７の電圧を検出する電圧検出回路３７を備える。なお、レギュレータ３５に代えて、例えば、ＲＦ部５０（詳細は後述）に駆動電力を供給するレギュレータ３５−１と、ベースバンド部６０（詳細は後述）に駆動電力を供給するレギュレータ３５−２（ともに図示せず）とに分けて設けてもよい。レギュレータ３５−１は、ＲＦ部５０の内部に設けてもよい。
【００３８】
また電子時計１００は、アンテナ体４０、バラン１０、及びＳＡＷ（Surface Acoustic Wave：表面弾性波）フィルタ３２を含む。アンテナ体４０は、図１で説明したように、複数のＧＰＳ衛星２０からの衛星信号を受信する。ただし、アンテナ体４０は衛星信号以外の不要な電波も若干受信してしまうため、ＳＡＷフィルタ３２は、アンテナ体４０が受信した信号から衛星信号を抽出する処理を行う。すなわち、ＳＡＷフィルタ３２は、１．５ＧＨｚ帯の信号を通過させるバンドパスフィルタとして構成される。
【００３９】
また、ＧＰＳ受信部２６は、ＲＦ（Radio Frequency：無線周波数）部５０とベースバンド部６０を含んで構成されている。以下に説明するように、ＧＰＳ受信部２６は、ＳＡＷフィルタ３２が抽出した１．５ＧＨｚ帯の衛星信号から航法メッセージに含まれる軌道情報やＧＰＳ時刻情報等の衛星情報を取得する処理を行う。
【００４０】
ＲＦ部５０は、ＬＮＡ（Low Noise Amplifier）５１、ミキサ５２、ＶＣＯ（Voltage Controlled Oscillator）５３、ＰＬＬ（Phase Locked Loop）回路５４、ＩＦアンプ５５、ＩＦ（Intermediate Frequency：中間周波数）フィルタ５６、ＡＤＣ（Ａ／Ｄ変換器）５７等を含んで構成されている。
【００４１】
ＳＡＷフィルタ３２が抽出した衛星信号は、ＬＮＡ５１で増幅される。ＬＮＡ５１で増幅された衛星信号は、ミキサ５２でＶＣＯ５３が出力するクロック信号とミキシングされて中間周波数帯の信号にダウンコンバートされる。ＰＬＬ回路５４は、ＶＣＯ５３の出力クロック信号を分周したクロック信号と基準クロック信号を位相比較してＶＣＯ５３の出力クロック信号を基準クロック信号に同期させる。その結果、ＶＣＯ５３は基準クロック信号の周波数精度の安定したクロック信号を出力することができる。なお、中間周波数として、例えば、数ＭＨｚを選択することができる。
【００４２】
ミキサ５２でミキシングされた信号は、ＩＦアンプ５５で増幅される。ここで、ミキサ５２でのミキシングにより、中間周波数帯の信号とともに数ＧＨｚの高周波信号も生成される。そのため、ＩＦアンプ５５は、中間周波数帯の信号とともに数ＧＨｚの高周波信号も増幅する。ＩＦフィルタ５６は、中間周波数帯の信号を通過させるとともに、この数ＧＨｚの高周波信号を除去する（正確には、所定のレベル以下に減衰させる）。ＩＦフィルタ５６を通過した中間周波数帯の信号はＡＤＣ（Ａ／Ｄ変換器）５７でデジタル信号に変換される。
【００４３】
ベースバンド部６０は、ＤＳＰ（Digital Signal Processor）６１、ＣＰＵ（Central Processing Unit）６２、ＳＲＡＭ（Static Random Access Memory）６３、ＲＴＣ（リアルタイムクロック）６４を含んで構成されている。また、ベースバンド部６０には、温度補償回路付き水晶発振回路（ＴＣＸＯ：Temperature Compensated Crystal Oscillator）６５やフラッシュメモリ６６等が接続されている。
【００４４】
温度補償回路付き水晶発振回路（ＴＣＸＯ）６５は、温度に関係なくほぼ一定の周波数の基準クロック信号を生成する。フラッシュメモリ６６には、例えば時差情報が記憶されている。時差情報は、時差データ（座標値（例えば、緯度及び経度）に関連づけられたＵＴＣに対する補正量等）が定義された情報である。
【００４５】
ベースバンド部６０は、時刻情報取得モード又は位置情報取得モードに設定されると、ＲＦ部５０のＡＤＣ５７が変換したデジタル信号（中間周波数帯の信号）からベースバンド信号を復調する処理を行う。
【００４６】
また、ベースバンド部６０は、時刻情報取得モード又は位置情報取得モードに設定されると、後述する衛星検索工程において、各Ｃ／Ａコードと同一のパターンのローカルコードを発生し、ベースバンド信号に含まれる各Ｃ／Ａコードとローカルコードの相関をとる処理を行う。そして、ベースバンド部６０は、各ローカルコードに対する相関値がピークになるようにローカルコードの発生タイミングを調整し、相関値が閾値以上となる場合にはそのローカルコードのＧＰＳ衛星２０に同期（すなわち、ＧＰＳ衛星２０を捕捉）したものと判断する。ここで、ＧＰＳシステムでは、すべてのＧＰＳ衛星２０が異なるＣ／Ａコードを用いて同一周波数の衛星信号を送信するＣＤＭＡ（Code Division Multiple Access）方式を採用している。したがって、受信した衛星信号に含まれるＣ／Ａコードを判別することで、捕捉可能なＧＰＳ衛星２０を検索することができる。
【００４７】
また、ベースバンド部６０は、時刻情報取得モード又は位置情報取得モードにおいて、捕捉したＧＰＳ衛星２０の衛星情報を取得するために、当該ＧＰＳ衛星２０のＣ／Ａコードと同一のパターンのローカルコードとベースバンド信号をミキシングする処理を行う。ミキシングされた信号には、捕捉したＧＰＳ衛星２０の衛星情報を含む航法メッセージが復調される。そして、ベースバンド部６０は、航法メッセージの各サブフレームのＴＬＭワード（プリアンブルデータ）を検出し、各サブフレームに含まれる軌道情報やＧＰＳ時刻情報等の衛星情報を取得する（例えばＳＲＡＭ６３に記憶する）処理を行う。ここで、ＧＰＳ時刻情報は、週番号データ（ＷＮ）及びＺカウントデータであるが、以前に週番号データが取得されている場合にはＺカウントデータのみであってもよい。
そして、ベースバンド部６０は、衛星情報に基づいて、内部時刻情報を修正するために必要な時刻修正情報を生成する。
【００４８】
時刻情報取得モードの場合、より具体的には、ベースバンド部６０は、ＧＰＳ時刻情報に基づいて測時計算を行い、時刻修正情報を生成する。時刻情報取得モードにおける時刻修正情報は、例えば、ＧＰＳ時刻情報そのものであってもよいし、ＧＰＳ時刻情報と内部時刻情報との時間差の情報であってもよい。
【００４９】
一方、位置情報取得モードの場合、より具体的には、ベースバンド部６０は、ＧＰＳ時刻情報や軌道情報に基づいて測位計算を行い、位置情報（より具体的には、受信時に電子時計１００が位置する場所の緯度及び経度）を取得する。さらに、ベースバンド部６０は、フラッシュメモリ６６に記憶されている時差情報を参照し、位置情報により特定される電子時計１００の座標値（例えば、緯度及び経度）に関連づけられた時差データを取得する。このようにして、ベースバンド部６０は、時刻修正情報として衛星時刻データ（ＧＰＳ時刻情報）及び時差データを生成する。位置情報取得モードにおける時刻修正情報は、上記の通り、ＧＰＳ時刻情報と時差データそのものであってもよいが、例えば、ＧＰＳ時刻情報の代わりに内部時刻情報とＧＰＳ時刻情報の時間差のデータであってもよい。
なお、ベースバンド部６０は、１つのＧＰＳ衛星２０の衛星情報から時刻修正情報を生成してもよいし、複数のＧＰＳ衛星２０の衛星情報から時刻修正情報を生成してもよい。
【００５０】
また、ベースバンド部６０の動作は、温度補償回路付き水晶発振回路（ＴＣＸＯ）６５が出力する基準クロック信号に同期する。ＲＴＣ６４は、衛星信号を処理するためのタイミングを生成するものである。このＲＴＣ６４は、ＴＣＸＯ６５から出力される基準クロック信号でカウントアップされる。また、ベースバンド部６０に設けられたＲＴＣ６４は、ＧＰＳ衛星２０の衛星情報を受信中にのみ動作し、ＧＰＳ時刻情報を保持する。
【００５１】
制御表示部３６は、制御部７０、駆動回路７４及び水晶振動子７３を含んで構成されている。
制御部７０は、記憶部７１、ＲＴＣ（Real Time Clock）７２を備え、各種制御を行う。制御部７０は、例えばＣＰＵで構成することが可能である。
制御部７０は、制御信号をＧＰＳ受信部２６に送り、ＧＰＳ受信部２６の受信動作を制御する。また制御部７０は、電圧検出回路３７の検出結果に基づいて、レギュレータ３４及びレギュレータ３５の動作を制御する。また制御部７０は、駆動回路７４を介してすべての指針の駆動を制御する。
【００５２】
記憶部７１には内部時刻情報が記憶されている。ＲＴＣ７２は、常時動作し、時刻表示のための内部時刻を計時し内部時刻情報を生成する。内部時刻情報は、電子時計１００の内部で計時される時刻の情報であり、水晶振動子７３によって生成される基準クロック信号によって更新される。したがって、ＧＰＳ受信部２６への電力供給が停止されていても、内部時刻情報を更新して指針の運針を継続することができるようになっている。
【００５３】
制御部７０は、時刻情報取得モードに設定されると、ＧＰＳ受信部２６の動作を制御し、ＧＰＳ時刻情報に基づいて内部時刻情報を修正して記憶部７１に記憶する。より具体的には、内部時刻情報は、取得したＧＰＳ時刻情報にＵＴＣオフセットを加算することで求められるＵＴＣ（協定世界時）に修正される。また、制御部７０は、位置情報取得モードに設定されると、ＧＰＳ受信部２６の動作を制御し、衛星時刻データ（ＧＰＳ時刻情報）及び時差データに基づいて、内部時刻情報を修正して記憶部７１に記憶する。
【００５４】
以上説明したように、電子時計１００では、アンテナ体４０が、全体としてＣ型形状のループアンテナとなり、ループアンテナの始点及び終点となる一対の給電電極４０ａ及び４０ｂがＣ型形状の切欠部分を挟んで位置することとなる。このため、アンテナ体４０の両端、すなわちループアンテナの始点から終点までの周囲長を、誘電体４０ｄにより波長短縮された約１波長とすることにより、半波長ダイポールアンテナ２本を、給電電極４０ａ及び４０ｂを挟んで平行においた場合と同等の受信性能を維持することができる。
【００５５】
特に、本実施形態に係る電子時計１００では、その放射指向性が、環状の中心から見て給電電極４０ａ及び４０ｂのある方向が最大放射方向となることから、給電電極４０ａ及び４０ｂを６時から１０時の範囲又は１２時から４時の範囲に配置することにより、装着者が腕時計をした腕を下げているか或いは手を身体の前に位置させた姿勢のときに、アンテナ利得の大きい方向が天頂方向と一致することとなり、受信性能が十分に発揮される。
【００５６】
詳述すると、衛星信号は屋内では受信できないことから、腕時計を腕に装着して屋外にいる間に受信を行うこととなり、その際、着用者は、腕を下げているか或いは手を身体の前に位置させた姿勢でいることが多い。そのため、図６及び図７に示すように、電子時計１００の６時〜１０時位置が天頂方向を向く確率が高くなる。本実施形態に係る電子時計１００は、アンテナ給電位置は６時〜１０時位置、若しくはそれと同じ性能が得られる１２時〜４時の位置となっていることから、衛星受信の際、アンテナ利得が大きい方向が、天頂方向に向いている確率が高くなる。
【００５７】
図８〜図１０は、アンテナ体４０の放射パターンの説明図である。なお、図８は、アンテナ体４０を中心とした座標系を示す説明図であり、円形のアンテナ体４０（半径ａ）の中心点を原点とし、時計表面を含む水平面をＸＹ平面とし、時計表面の法線方向をＺ軸とし、給電電極４０ａ及び４０ｂをＸ軸上に設置した状態を示している。図９に示す放射パターンは、図８に示したθを９０°に設定したＹ−Ｘ平面における放射パターンであり、原点付近のＸ軸上に給電電極４０ａ及び４０ｂが位置されている。図１０に示す放射パターンは、図８に示したφを９０°に設定したＺ−Ｘ平面における放射パターンであり、原点上に給電電極４０ａ及び４０ｂが位置されている。なお、図１０において、実線は裏蓋がある場合の放射パターンであり、波線は裏蓋がない場合の放射パターンである。
【００５８】
図９に示すように、Ｘ軸上に給電電極４０ａ及び４０ｂを位置させた場合、Ｘ軸方向が最大放射方向となりアンテナ利得が最大となっており、Ｙ軸方向はヌル値となりアンテナ利得は低くなっている。したがって、本発明のように、給電電極４０ａ及び４０ｂを６時〜１０時又は１２時〜４時の範囲に位置させることにより、腕時計を腕に装着して屋外にいる間に受信を行う場合に、人間工学上、着用者が多くとる姿勢で、アンテナ体４０の放射指向性を最大とすることができる。
【００５９】
図１０では、金属裏蓋の有無でアンテナ放射パターンの比較を行っている。Ｙ−Ｚ平面で、金属裏蓋があると反射で文字板方向（Ｚ軸）の放射が大きくなり、時計表面を頂点に向けた場合には、望ましいアンテナ特性を得られることが判る。なお、ケースが金属製である場合にはアンテナに近過ぎる場合には、そのアンテナ特性が劣化するが、本実施形態において外装ケース８０は非導電性部材であることからそのような影響はなく、裏蓋８５は、地板３８や駆動機構３０などにより隔てられており、アンテナ体４０と適度な距離があるため、アンテナ特性を劣化させることなく反射板として有効に機能させることができる。
【００６０】
また、電子時計１００では、誘電体４０ｄによる波長短縮を利用することでアンテナの小型化を図ることができる。すなわち、誘電体による波長短縮が√εｒとなることから、本実施形態では、誘電体４０ｄとしては、εｒ＝５〜１０程度を用い、これにより、ＧＰＳ受信用のアンテナであっても、腕時計に１波長ループアンテナを収めることができ、アンテナの小型化を図ることができる。またグランド板を必要としないため、大きなサイズのグランド板をとない小型機器でも使いやすいという利点がある。なお、本実施形態では、アンテナ体４０は、リング状の誘電体４０ｄの表面上にメッキや銀ペースト印刷などでアンテナパターン４０ｃを形成している。アンテナパターン４０ｃが表面に形成されている場合には、その加工しやすく周波数調整も容易となる。
【００６１】
さらに、アンテナ体４０は、給電電極４０ａ及び４０ｂを通じて平衡給電されていることから、給電電極４０ａ及び４０ｂが平衡型のアンテナパターンを構成することができ、受信性能を向上させることができる。また、前記側面部の二つの開口のうち、前記時刻表示部の表示方向と反対側の開口を塞ぐ金属製の裏蓋を備えるため、金属製の裏蓋による反射により、時計表面における法線方向の放射が大きくなり、極めて高い受信性能が得られる。
【００６２】
以上より、本発明によれば、ＧＰＳにおける衛星信号の受信に際し、屋外における装着者の姿勢などの人間工学に基づいて実用上最適なアンテナ指向性を得ることができ、アンテナの小型化を図りつつ、受信性能を十分に高く維持することができる。
【００６３】
［第２実施形態］
図１１は、本発明の第２実施形態に係るアンテナ内蔵式電子時計２００（電子時計２００）の一部断面図である。電子時計２００は、アンテナ体４０に代えてアンテナ体４１を備える点で電子時計１００と相違する。アンテナ体４１は、環状の誘電体４１ｄを有し、アンテナパターン４１ｃが誘電体４１ｄに接するように構成されている点でアンテナ体４０と異なる。
【００６４】
具体的には、図１１に示すように、本実施形態では、ダイヤルリング８３と、ベゼル８１の内周面とによりドーナツ状に画成された収納空間８２内において、円周方向に延在されるドーナツ状（Ｏ型）の誘電体４１ｄを備え、この誘電体４１ｄ内に、金属のアンテナパターン４１ｃが埋め込まれて、アンテナ体４１が構成されている。なお、誘電体４１ｄの断面形状は略正方形となっている。
【００６５】
誘電体４１ｄは、誘電体セラミックなどの誘電体であるが、誘電体を混ぜたプラスチックを用いたインサート成形で形成するようにしてもよい。なお、本実施形態では、ドーナツ状をなす誘電体４１ｄ円周上の一点に、給電電極４１ａ及び４１ｂが位置しており、誘電体４１ｄ内部のアンテナパターン４１ｃは、環状の一部を切り欠いたいわゆるＣ形状をなしている。そして、これら、誘電体４１ｄ及びアンテナパターン４１ｃは、表面側から見てダイヤルリング８３に覆われている。
【００６６】
また、この第２実施形態では、外装ケース８０を金属で形成し、外装ケース８０及び金属製の裏蓋８５をグランド板として機能させる。すなわち、アンテナ体４１の一方の給電電極４１ａ又は４１ｂを、導通バネ３８ｃを介して金属製の外装ケース８０に接続させている。他方の給電電極４１ａ又は４１ｂに対しては、アンテナ接続ピン４４を通じて給電を行う。このとき、アンテナ体４１は、１波長ループアンテナであることから、給電に対して自己平衡作用があり、上記バラン１０を介さず、直接給電することも可能である。
【００６７】
以上の説明から明らかなように、電子時計２００によれば、電子時計１００と同様の効果が得られる。さらなる効果としては、誘電体４１ｄの波長短縮効果と相俟ってアンテナ周囲長を短縮することができ、これによりアンテナ全体をより小型化できる。また、誘電体４１ｄと接触させることで、金属のアンテナパターン４１ｃを動かないように固定することができ、装置の安定性を向上させることができる。また、アンテナ体４１の断面を略正方形とすることにより無駄なスペースがなくなり、時計内の空間を有効に活用でき、小形化に寄与することができる。
【００６８】
本実施形態では、ループアンテナの方側の給電電極４１ａ又は４１ｂを通じて、導通バネ３８ｃを介して外装ケース８０をグランド板として機能させることから、アンテナ接続ピン４４を１個とさせることができ、構造が簡単になりコストダウンを図ることができ、また給電電極を配置する位置の自由度を高めることができる。さらに、アンテナ体４１の給電に対する自己平衡作用によって、上記バラン１０を省略することによっても、小型化を促すことができる。
【符号の説明】
【００６９】
１００，２００…アンテナ内蔵式電子時計、４０，４１…アンテナ体、４０ａ，４０ｂ、４１ａ，４１ｂ…給電電極、４１ｃ…アンテナパターン、４１ｄ…誘電体、４４Ａ，４４Ｂ…アンテナ接続ピン、１１…文字板、１２…指針軸、１３（１３ａ，１３ｂ，１３ｃ）…指針、２６…ＧＰＳ受信部、３０…駆動機構、８０…外装ケース、８１…ベゼル、８２…収納空間、８４…カバーガラス、８５…裏蓋、８７…ソーラーパネル。
【図１】
0005831049.tif 000002
【図２】
0005831049.tif 000003
【図３】
0005831049.tif 000004
【図４】
0005831049.tif 000005
【図５】
0005831049.tif 000006
【図６】
0005831049.tif 000007
【図７】
0005831049.tif 000008
【図８】
0005831049.tif 000009
【図９】
0005831049.tif 000010
【図１０】
0005831049.tif 000011
【図１１】
0005831049.tif 000012